(57)【特許請求の範囲】
【請求項１】
左右両端部の分割苗載台１６ａを折畳み可能とし、苗載台１６の下部を摺動自在に載置する苗取りレール１８５も折畳み可能とする構成において、
該苗取りレール１８５に構成した最外側の苗取り口１８６ａより外側位置を、上方に折畳み可能に分割して折畳み側レール１８５ａとし、該折畳み側レール１８５ａの前面にアーム体１９０を固設し、
前記中央側の苗取りレール１８５の前方に枢支板１９２を固設し、該枢支板１９２に枢支軸１９３を設け、該枢支軸１９３に前記アーム体１９０の端部を枢支し、
前記中央側の苗取りレール１８５と折畳み側レール１８５ａの間に、一端を外側の前記折畳み側レール１８５ａ側に係止し、他端を左右内側の苗取りレール１８５側に係止したバネ体１９５を介装し、
該バネ体１９５の左右途中部には、上方に湾曲させた湾曲部１９５ａを形成し、該湾曲部１９５ａが枢支軸１９３の上方を迂回すべく構成し、該バネ体１９５の支点越えによって折畳み側レール１８５ａを水平位置と上方回動位置の二位置に維持可能としたことを特徴とする田植機の苗載台構成。
【発明の詳細な説明】
【０００１】
【発明の属する技術分野】
本発明は、田植機の苗載台の左右全幅を短くするために、該苗載台を載置する苗取りレールの左右両端部を折り畳む構成に関する。
【０００２】
【従来の技術】
従来から、複数条を同時に植付け作業を行う、８条植えや、１０条植えの田植機の苗載台を、苗載台左右両端部の数条の分割苗載台を機体中央側に折畳みできるように、上下二本の門形状のフレームを設けて、その二本の門形状のフレームによって苗載台が折り畳み可能として、苗載台の左右全幅を短くさせる技術は本出願人より提案済みとなっている。
【０００３】
また、この折畳み機構を有する田植機を格納したり、移動走行させる際に、苗載台左右両端部を折り畳んで縮小させると同時に、苗載台下部を載置する苗取りレールの左右両端部を上方に折り畳んで、苗取りレールの左右幅を短くさせる技術も特願平８−２９３７６２によって提案されている。
【０００４】
【発明が解決しようとする課題】
しかし、従来の苗載台の左右両端部を折り畳むと同時に、該苗載台を載置する苗取りレール左右端部を上方に回動させる構成においては、左右幅を短くしても、前記苗取りレールは折畳み時の苗載台端部より側方に突出しており、更に左右幅を短くすることが望まれている。
【０００５】
【課題を解決するための手段】
本発明の解決しようとする課題は以上の如くであり、次に該課題を解決するための手段を説明する。
左右両端部の分割苗載台１６ａを折畳み可能とし、苗載台１６の下部を摺動自在に載置する苗取りレール１８５も折畳み可能とする構成において、該苗取りレール１８５に構成した最外側の苗取り口１８６ａより外側位置を、上方に折畳み可能に分割して折畳み側レール１８５ａとし、該折畳み側レール１８５ａの前面にアーム体１９０を固設し、前記中央側の苗取りレール１８５の前方に枢支板１９２を固設し、該枢支板１９２に枢支軸１９３を設け、該枢支軸１９３に前記アーム体１９０の端部を枢支し、前記中央側の苗取りレール１８５と折畳み側レール１８５ａの間に、一端を外側の前記折畳み側レール１８５ａ側に係止し、他端を左右内側の苗取りレール１８５側に係止したバネ体１９５を介装し、該バネ体１９５の左右途中部には、上方に湾曲させた湾曲部１９５ａを形成し、該湾曲部１９５ａが枢支軸１９３の上方を迂回すべく構成し、該バネ体１９５の支点越えによって折畳み側レール１８５ａを水平位置と上方回動位置の二位置に維持可能としたものである。
【０００６】
【発明の実施の形態】
次に、本発明の実施の形態を説明する。
図１は苗載台の折畳み機構を備えた田植機の全体側面図、図２は同じく平面図、図３は苗載台の折畳み状態を示す図、図４は折畳み機構の平面図である。
【０００７】
図５は側部苗載台の部分側面図一部断面図、図６は本発明の苗取りレール端部の下面図、図７は同じく正面図、図８は同じく正面図である。
【０００８】
図９は苗載台の背面図、図１０は本発明のロックレバーのガイド構成を示す正面図、図１１は同じく側面図、図１２はロックシャフトの周り止め構成を示す側面断面図である。
【０００９】
図１３は同じくロックシャフトの周り止め構成を示す側面断面図、図１４は縦フレームの支持構成を示す部分側面断面図、図１５は分割苗載台の位置合わせを行う固定穴の側面図一部断面図、図１６は植付けミッションケースの側面図、図１７はワイヤーを有する苗載台の部分背面図である。
【００１０】
まず、乗用田植機について図１、図２より全体構成から説明する。
作業者等が搭乗する走行車１の車体フレーム３前部上方にエンジン２を搭載し、ミッションケース４の前方にフロントアクスルケース５を介して前輪６を支持させると共に、前記ミッションケース４の後部にリヤアクスルケース７を連設し、該リヤアクスルケース７に後輪８を支持させる。
【００１１】
そして、前記エンジン２を覆うボンネット９の両側に予備苗載台１０・１０を配設し、ステップ１１を介して作業者等が搭乗する車体カバー１２によって前記ミッションケース４等を覆い、前記車体カバー１２上部に運転席１３を取り付け、該運転席１３の前方の前記ボンネット９後部に操向ハンドル１４を配設している。
【００１２】
また、植付け部１５は八条植え用の苗載台１６や複数の植付け爪１７等から構成されており、前高後低に配設した苗載台１６を下部レール１８及びガイドレール１９を介して植付け本体側の植付けケース２０に左右往復摺動自在に支持させると共に、一方向に等速回転するロータリーケース２１を前記植付けケース２０に回転自在にさせ、該ロータリーケース２１の回転軸芯を中心にして対称位置に一対の爪ケース２２・２２を配設し、該爪ケース２２・２２の先端に植付け爪１７・１７を固設する。
【００１３】
また、前記植付けケース２０の前部にローリング支点軸２３を介して支持フレーム２４を設け、トップリンク２５及びロワーリンク２６を含むリンク機構２７を介して走行車１後部に前記支持フレーム２４を連結し、前記リンク機構２７を介して植付け部１５を昇降させる昇降シリンダ２８をロワーリンク２６に連結している。そして、前記前輪６・６及び後輪８・８を走行駆動して移動すると同時に、左右に往復摺動可能な苗載台１６から一株分の苗を植付け爪１７によって取り出し、連続的に植付作業を行うように構成している。
【００１４】
また、前記運転席１３等が設置された運転部には走行変速レバー２９、植付け昇降兼作業走行変速用副変速レバー３０、植付け感度調節レバー３１、主クラッチペダル３２、左右ブレーキペダル３３・３３が配設され、前記植付け部１５下部には均平用センターフロート３４、均平用サイドフロート３５が配設され、前記運転席１３後方には八条用の側条施肥部３６が配設されている。
【００１５】
前記苗載台１６は、図３〜図５、図９に示すように、左右最外端の各二条分の苗載台を分割して分割苗載台１６ａ・１６ａとし、固定側苗載台の機体中央の二条分の苗載台を中央部苗載台１６ｂとし、その両側に配置した各一条分の苗載台を側部苗載台１６ｃ・１６ｃとし、該側部苗載台１６ｃ・１６ｃ上方に並行折畳み機構３７を設け、前記分割苗載台１６ａ・１６ａと側部苗載台１６ｃ・１６ｃとを並行折畳み機構３７を介して連結し、中央部苗載台１６ｂの上方に略平行に分割苗載台１６ａ・１６ａを折畳み可能に構成している。
【００１６】
また、図９に示すように、作業するために広げた状態では、前記側部苗載台１６ｃ上部外側面に突出した固定ピン１２４が分割苗載台１６ａ上部内側面に穿設した固定穴１２３と嵌合して安定性を高めている。本実施例において、前記固定孔１２３は図１５に示すように構成されている。前記固定孔１２３は、固定ピン１２４を嵌合する孔部１２３ａと、該固定ピン１２４を孔部１２３ａ内にガイドするガイド部１２３ｂより形成されている。
【００１７】
該ガイド部１２３ｂは、円錐状に形成され、側方端部より内側に向けて傾斜面を形成し、固定ピン１２４の先端も前記傾斜面に合わせた円錐状として、固定ピン１２４端部をガイド部１２３ｂに沿って孔部１２３ａ内にガイドしており、分割苗載台１６ａを側部苗載台１６ｃの適所位置に固定するようにしている。
【００１８】
更に、前記苗載台１６に横設する各レール１８・１９と、苗載台１６の各リブ３８位置の裏面に配設する縦フレーム８４とをそれぞれ連結して、剛性の高いフレーム構造に形成している。また、各レール１８・１９と縦フレーム８４と表側に横架した後述する各苗台フレーム３９・４０・４１・４２の端部をそれぞれ取付固定して、折畳み構造の強度を向上させている。
【００１９】
また、通常苗載台１６を幅広に広げて作業するときには、図９、図１０に示すように、分割苗載台１６ａの背面に配設した下部レール１８及びガイドレール１９内に、シャフトガイド１２９・１２９が配設され、該シャフトガイド１２９・１２９内に左右摺動自在に設けられたロックシャフト１２１の先端が、側部苗載台１６ｃに配設したロック板１２２に嵌入固定されてロック状態とすることができる。
【００２０】
前記ロックシャフト１２１の端部は、図１２に示すように、平板状に係合部１２１ａが形成されている。前記ロック板１２２にロックシャフト１２１が挿入される孔１２２ａと、該孔１２２ａの上下端部に溝１２２ｂが形成され、ロック時及び解除のための摺動時に、ロックシャフト１２１の係合部１２１ａが溝１２２ｂ内に係合してガイドされ、回り止めが行われている。
【００２１】
前記ロックシャフト１２１の外側端部にロックレバー１２０基部が枢支ピン１２８によって枢支されている。また、前記ロックレバー１２０基部はカム部１２０ａが形成され、該カム部１２０ａは分割苗載台１６ａ側面に固設する保持部材１２５に係合保持される。前記分割苗載台１６ａを折畳む際は、ロックレバー１２０を回動させると（図９左側１２０’）、カム部１２０ａが分割苗載台１６ａ側面に当接し、図１０に示すように、ロックレバー１２０が外側に移動し、ロックシャフト１２１の内側端部はロック板１２２から脱抜し、該分割苗載台１６ａが回動可能な状態となり折畳みを行える。
【００２２】
前記ロックレバー１２０を回動操作して保持部材１２５との係合を外すと、ロックレバー１２０はロックシャフト１２１のみに支持され、従来では該ロックシャフト１２１と一体的にロックレバー１２０が前後方向に自由に回動しながら外側に抜脱されていた。
【００２３】
そして、分割苗載台１６ａをロックさせる為に、ロックレバー１２０を保持部材１２５内に係合させるためには、先ずロックレバー１２０の向きを保持部材１２５に合わせる必要があった。本発明においては、図１０、図１１に示すように、前記ロックレバー１２０の回動方向を規制し、ロックレバー１２０の操作方向を一定方向に規制するために、前記保持部材１２５の左右側面に、ガイド体１２６・１２７を形成し、回り止め部材を配置している。
【００２４】
図１０、図１１に示すように、前記保持部材１２５の前方側面の上下途中位置に、ガイド体１２６が固設され、ガイド体１２６端部を外側に向かって突出させて、ガイド体１２６端部を、ロックレバー１２０前側面のカム部１２０ａの左右途中位置まで延出している。また、保持部材１２５の後方側面に、側面視略Ｌ型のガイド体１２７が固設されている。
【００２５】
該ガイド体１２７は、外側に向かって突出され、ガイド体１２７端部が保持部材１２５に保持されているカム部１２０ａの外側端部まで延出されている。前記ガイド体１２７の上部はレバー１２０側（図１１の紙面上の右側）に屈曲され、保持部材１２５に保持されているロックレバー１２０後側面に当接している。前記ガイド体１２７端部は、ガイド体１２６端部より外側に突出されている。
【００２６】
更に、前記ロックシャフト１２１の途中位置に左右方向に軸心を有するロックピン１３０が固設されている。一方、前記ロックシャフト１２１を摺動自在に支持するシャフトガイド１２９には、図１３に示すように、ロックシャフト１２１を遊嵌する孔１２９ａが開口され、該孔１２９の左右両側に回り止め用の溝１２９ｂ・１２９ｂが形成されている。
【００２７】
よって、前記ロックレバー１２０を側方に回動させて、保持部材１２５よりカム部１２０ａの係合を外し、カム部１２０ａ前後面をガイド体１２６・１２７に挟持させながら、ロックレバー１２０を回動させて、カム部１２０ａによって保持部材１２５の係合が外れ、ロックレバー１２０を外側に移動させて、分割苗載台１６ａを折畳み可能にしている。前記ロックレバー１２０を外側に移動させると、ロックシャフト１２１と一体的にロックピン１３０が外側に移動し、シャフトガイド１２９内にロックピン１３０が移動され、その際に、前記ロックピン１３０は、孔１２９ａ内に係合され、ロックシャフト１２１の回り止めが行われ、ロックレバー１２０が前後方向に回動することが規制されている。
【００２８】
そして、前記分割苗載台１６ａをロックする為にロックレバー１２０を内側に移動させると、ロックピン１３０によって回り止めさせてロックシャフト１２１を内側に摺動する。前記ロックレバー１２０を水平状より上方に回動させて、ロックレバー１２０を上方に回動させてゆくと、回動の途中位置よりカム部１２０ａがガイド体１２７とガイド体１２６との間で案内され、カム部１２０ａが保持部材１２５内に係合され、分割苗載台１６ａがロックされる。従って、前記ロックレバー１２０は、操作方向以外の前後方向に回動することが規制されており、操作性の優れたレバーが構成されている。
【００２９】
次に、前記折畳み機構３７について図３、図４、図５を用いて説明する。
中央部苗載台１６ｂの上部及び下部には、門形状の中央部上苗台フレーム３９及び中央部下苗台フレーム４０が、該中央部苗載台１６ｂ両側のリブ３８・３８上にそれぞれ上フレームホルダ５３・５３及び下フレームホルダ５４・５４を介して立設している。前記中央部上苗台フレーム３９及び中央部下苗台フレーム４０の中央から、中央フレーム３９ａ及び４０ａが突出し、その先端が中央部苗載台１６ｂ中央のリブ３８とそれぞれ上フレームホルダ５３及び下フレームホルダ５４を介して接続されている。前記中央フレーム３９ａ略中央部からパイプ状部材が下方に突出し、中央フレーム４０ａの対応する箇所と接続され、縦フレーム４３が形成され、上苗台フレーム３９と下苗台フレーム４０とを連結している。
【００３０】
同じく分割苗載台１６ａの上部及び下部には、門形状の分割部上苗台フレーム４１及び分割部下苗台フレーム４２が、該分割苗載台１６ａ両側のリブ３８・３８上にそれぞれ上フレームホルダ５３・５３及び下フレームホルダ５４・５４を介して立設している。前記分割部上苗台フレーム４１及び分割部下苗台フレーム４２の中央から、中央フレーム４１ａ及び４２ａが突出し、その先端が分割苗載台１６ａ中央のリブ３８とそれぞれ上フレームホルダ５３及び下フレームホルダ５４を介して接続されている。中央フレーム４１ａ略中央部及び分割部上苗台フレーム４１外側の屈曲部よりも先端の部分の略中央部の計二箇所からパイプ状部材が下方に突出し、それぞれ分割部下苗台フレーム４２の分割部上苗台フレーム４１に対応する箇所と接続され、縦フレーム４３・４３が形成され、上苗台フレーム４１と下苗台フレーム４２とを連結している。
【００３１】
前記縦フレーム４３の前後端部は、図５に示す中央部苗載台１６ｂの中央フレーム３９ａ及び４０ａ、に対向して配置されるボス部５６・５６内に挿入され、ボス部５６・５６外周に螺合されるボルト５７によって固定されている。そして、本実施例において、図１４に示すように、前記ボス部５６に挿入孔５６ａが形成されている。そして、前記ボス部５６の挿入孔５６ａ内に弾性部材１５７を嵌入し、その後に縦フレーム４３を挿入すると、縦フレーム４３端部が弾性部材１５７に当接され、弾性部材１５７を圧縮しながら縦フレーム４３を挿入し、ボス部５６内の位置に合わせてボルト５７を貫通させて縦フレーム４３を固定している。よって、前記縦フレーム４３の両端部がボス部５６・５６内に密着して固定され、組み立て精度を向上させることができる。尚、分割苗載台１６ａの中央フレーム４１ａ及び４２ａ、上苗台フレーム３９と下苗台フレーム４０の外側位置を連結する縦フレーム４３も同様な構成によって連結されている。
【００３２】
前記中央部苗載台１６ｂと分割苗載台１６ａの間に位置する一条幅の側部苗載台１６ｃ・１６ｃ部では、中央部苗載台１６ｂの中央部上下苗台フレーム３９・４０の左右方向両側の屈曲部において、上下の屈曲部を連結するようにパイプ状部材である中央側回動支点フレーム４４・４４が固設されている。同じく分割苗載台１６ａ・１６ａの分割部上下苗台フレーム４１・４２の左右方向内側の屈曲部において、上下の屈曲部を連結するようにパイプ状部材の分割側回動支点フレーム４５・４５が固設されている。また、前記側部苗載台１６ｃには左右方向に補強部材となる補強ジョイント１０１・１０１を配設している。該補強ジョイント１０１の一端は回動支点フレーム４４上部に枢支され、補強ジョイント１０１の他端（外側端部）をリブ３８側に屈曲し、リブ３８上面に固設し、側部苗載台１６ｃの剛性を向上してねじれ等の発生を防止している。
【００３３】
前記中央側回動支点フレーム４４の上下部にはそれぞれカム部材である上回転カム体４６、下回転カム体４７が、分割側回動支点フレーム４５の上下部にはそれぞれ上回転カム体４８、下回転カム体４９が嵌合している。この上回転カム体４６・４８を門形状の上折畳みアーム５０によって、また下回転カム体４７・４９を門形状の下折畳みアーム５１によって連結することで、前記中央側回動支点フレーム４４と分割側回動支点フレーム４５とが連結されるので、上下折畳みアーム５０・５１を中央側回動支点フレーム４４を支点として回動させ、該本体側苗載台１６ｂの上方に略平行に分割苗載台１６ａを折畳んで位置させることを可能としている。
【００３４】
次に、前記苗載台１６を、左右にスライドさせる構成について説明する。
前記植付けケース２０は、植付けミッションケース１６０の後側部に固設され、本体側より植付けミッションケース１６０内に伝達され、変速された動力が各植付けケース２０内に伝達されている。図１６に示すように、前記植付けミッションケース１６０には横送り動力を伝達する横送り軸１６１と縦送り動力を伝達する縦送り軸１５９が軸支されている。前記横送り軸１６１には、スベリ子受け１６３が外嵌され、苗載台１６の裏側面に固設される連結アーム１６５内に係合されている。前記横送り軸１６１の回動によって、スベリ子受け１６３を左右往復動させることで、連結アーム１６５を介して苗載台１６が横送りされている。
【００３５】
また、前記縦送り軸１５９には、縦送りカム１５９ａが固設されている。一方、前記縦送りローラ９９の回転軸の途中に従動カム９８が介設されている。よって、苗載台１の横送りとともに、従動カム９８が左右に往復動し、横送りの左右終端位置において、回転する縦送りカム１５９ａに従動カム９８が押当回動され、縦送りローラ９９の回転軸が一定量回転し、縦送りベルト９７を搬送駆動している。
【００３６】
図１７に示すように、２条毎にユニットクラッチレバー９０を配置し、その間の縦フレーム８４下部に前記従動カム９８が配設されている。前記従動カム９８の配設した左右両側の条の下部に縦送りクラッチ機構９６が配設されている。該縦送りクラッチ機構９６は、回転軸に固設するクラッチギア９５と、該クラッチギア９５に係合、離脱される従動ギア９４がクラッチギア９５の側方の回転軸上に摺動自在に係合され、該従動ギア９４を介して縦送りローラ９９に動力が伝達されている。前記従動ギア９４には、揺動アーム９３の一端が係合され、揺動アーム９３の他端にワイヤー９２が締結されている。
【００３７】
そして、本発明において、該従動カム９８の左右両側の縦送りクラッチ機構９６の操作構成について説明す。前記苗載台１６裏側面上部に枢支したユニットクラッチレバー９０にワイヤー９２端部が締結されている。該ワイヤー９２はアウターケース９１内に支持され、苗載台１６裏側面に沿って下方に延出し、途中部で二本に分岐してワイヤー９２ａとワイヤー９２ｂに形成されている。前記アウターケース９１も途中部で二本に分岐され、一側のケース９１ａにワイヤー９２ａが支持され、他方のケース９１ｂにワイヤー９２ｂが収納されている。該ケース９１ａとケース９１ｂとの他端が、縦フレーム８４下部に固設したステー８９・８９に固設され、各ケース９１ａ・９１ｂ端部よりワイヤー９２ａ・９２ｂを下方に延出し、従動カム９８の側方の縦送りクラッチ機構９６を操作する揺動アーム９３の他端に締結されている。
【００３８】
よって、前記ユニットクラッチレバー９０を操作すると、単一のワイヤー９２が引っ張られ、該ワイヤー９２が二本に分岐した各ワイヤー９２ａ・９２ｂが引っ張られ、従動カム９８の左右両側の揺動アーム９３・９３が回動される。該揺動アーム９３が回動すると、従動ギア９４が摺動し、従動ギア９４とクラッチギア９５との係合が外れ、従動カム９８の左右両側の縦送りローラ９９への駆動伝達が離脱され、縦送りベルト９７の搬送を停止することができる。従って、前記ユニットクラッチレバー９０に二本のワイヤー９２を直接に締結することなく、二個の縦送りクラッチ機構９６を操作することができ、レバー９０の支持構成をシンプルにすることができる。このシンプルに形成したユニットクラッチレバー９０を苗載台１６の裏側面への配置が規制されることなく、複数個を配置でき、様々な箇所の縦送りクラッチ機構９６を操作することができ、縦送りクラッチ機構９６の配置も制限されることもなくなり、従動カム９８の左右両側の縦送りクラッチ機構９６を操作することができる。
【００３９】
尚、前記ワイヤー９２の途中部を更に分岐させて三本のワイヤー９２に分岐させて、側部苗載台１６ｃ下方の植付けケース２０内に連結させて、側部苗載台１６ｃの縦送りの停止を行うと同時に、この条の苗取りを行う植付け爪１７・１７の駆動も停止させることができ、部品点数を削減させた構成にすることもできる。
【００４０】
次に、前記苗載台１６下部を、左右にスライド自在に支持する構成について説明する。
前記苗載台１６下部は、植付けケース２０上に上下位置調整可能に支持される苗取りレール１８５に摺動自在に載置されている。図５に示すように、前記苗取りレール１８５は、側面視四角形状のレール部１８８と該レール部１８８より後方に延出し、苗載台１６底面を被装する苗取り板１８６より構成されている。前記レール部１８６の上部は、下部レール１８の開放面内に係合されている。また、前記苗取り板１８６の左右方向の適所位置には、図２に示すように、複数個の苗取り口１８６ａ・１８６ａ・・・が開口されている。また、前記レール部１８８に規制クリンプ１８７が配設され、該規制クリンプ１８７上部に下部レール１８が係合され、苗載台１６の外れを防止している。
【００４１】
本発明において、前記苗取りレール１８５の最外側の苗取り口１８６ａより外側位置が、上方に折畳み可能に分割され、折畳み側レール１８５ａが形成されている。図６〜図８に示すように、前記折畳み側レール１８５ａは、折畳み側レール１８５ａ前面にアーム体１９０を固設し、該アーム体１９０の端部を枢支板１９２の中央側に枢支している。即ち、中央側の苗取りレール１８５ｂの両端（図６の紙面上の左側面）位置の、苗取り口１８６ａの左右両側にボルト１９１・１９１によってスペーサを介して枢支板１９２が中央側の苗取りレール１８５ｂの前方位置で固設されている。該枢支板１９２の左右中央部に枢支軸１９３が固定され、該枢支軸１９３前側に前記アーム体１９０が枢支され、ナット１９９の締め付けによって圧着されている。該アーム体１９０他端にはボルト１９４・１９４によって折畳み側レール１８５ａの前面を固設して、中央側の苗取りレール１８５ｂと位置を合わせている。よって、前記折畳み側レール１８５ａは、アーム体１９０を介して枢支軸１９３を支点として上下方向に回動でき、折畳み側レール１８５ａを下方に回動させると、折畳み側レール１８５ａ内側端部が中央側の苗取りレール１８５ｂ外側端部に当接して、折畳み側レール１８５ａを左右水平状に位置させている。
【００４２】
また、前記アーム体１９０の回動支点である枢支軸１９３は、図７に示す正面視のように、苗取りレール１８５の上端より上方位置に配置される。
【００４３】
そして、前記アーム体１９０の前面にはバネ体１９５が配設され、該バネ体１９５の支点越えによって折畳み側レール１８５ａを水平位置と上方回動位置の二位置に保持できるようにしている。即ち、外側の前記ボルト１９４に、バネ体１９５の一端を係止し、該バネ体１９５の左右途中部は上方に湾曲させて湾曲部１９５ａを形成し、該湾曲部１９５ａが枢支軸１９３の上方を迂回し該バネ体１９５の他端が左右内側のボルト１９１に係止させている。
【００４４】
従って、折畳み側レール１８５ａを下方に回動させると、図７に示すように、バネ体１９５を係止するボルト１９４とボルト１９１とを結ぶ線が、回動支点である枢支軸１９３より下方に位置し、折畳み側レール１８５ａを下方回動するようにバネ体１９５によって付勢されその状態が維持される。逆に、折畳み側レール１８５ａを上方に回動させると、ボルト１９４とボルト１９１とを結ぶ線が枢支軸１９３より上方に移動し、図８に示すように、バネ体１９５は折畳み側レール１８５ａを上方回動するように付勢されその状態が維持される。また、前記枢支板１９２の前面に規制体１９６が突出されており、該規制体１９６にアーム体１９０端部を当接させることで、アーム体１９０の回動が規制され、折畳み側レール１８５ａを鉛直方向の上向きに位置させている。
【００４５】
次に、前記苗取りレール１８５の、左右幅を折畳む構成よりさらに短くする構成について説明する。
図２、図６、図７に示すように、中央側の前記苗取りレール１８５ｂは、さらに取外しレール１８５ｃと固定側の苗取りレール１８５ｄとに分割されている。即ち、最外側の苗取り口１８６ａより内側で、前記ボルト１９１より更に内側位置で分割され、取外しレール１８５ｃと固定側の苗取りレール１８５ｄとが形成されている。該取外しレール１８５ｃと固定側の苗取りレール１８５ｄとは、下面に連結プレート１９７を当接し、該連結プレート１９７をボルト等によって螺合することで、連結されている。螺合を外すことで、取外しレール１８５ｃと折畳み側レール１８５ａとが一体的に取り外され、図２に示す苗取りレール１８５の右側のように、苗取りレール１８５の左右幅を縮小されている。よって、機体を格納庫等に収納し、苗載台１６左右の分割苗載台１６ａを折畳み、該苗載台１６を載置している苗取りレール１８５の、取外しレール１８５ｃと折畳み側レール１８５ａとを取り外すことで、左右幅が大きく縮小され、コンパクトに収納することができる。
【００４６】
【発明の効果】
本発明は以上の如く構成したので、次のような効果を奏するのである。
苗取りレールの左右外側を折畳み側レールとして分割し、中央側の苗取りレール前方に枢支板を固設し、折畳み側レール前方に固設したアーム体を、枢支板の枢支軸に軸支し、機体の移動時に苗載台の左右端部を折畳んで縮小すると同時に、苗取りレールも折畳み左右幅を縮小させることができる。
また、前記折畳み側レールを枢支するアーム体と枢支板とを、苗取りレールより前方位置に配置しており、該苗取りレール上を左右に摺動する苗載台の下部との間に間隔を広くすることができ、苗載台下部とこの枢支する部材との間に異物が挟まることがなく、苗載台を円滑に摺動させることができる。
【００４８】
また、バネ体の途中部を上方に湾曲させ、回動中心である枢支軸の上方を、左右途中部に構成し、上方に湾曲させた湾曲部１９５ａにて迂回して、バネ体を係止する構成としており、折畳み側レールを水平位置と上方回動位置との二方向にバネの支点越えによって付勢させている。
上方に湾曲させた湾曲部１９５ａにより、水平位置に付勢することで、苗取りレールが水平状に支持され、苗載台の摺動が円滑に保たれる。
また、上方側に付勢させることで、回動支点部の摩擦力が減少しても折畳み側レールを上方に位置させることができ、水平状に倒れることがなく、折畳みが確実となり、移動走行時に障害物に当接させることがない。
【図面の簡単な説明】
【図１】  苗載台の折畳み機構を備えた田植機の全体側面図である。
【図２】  同じく平面図である。
【図３】  苗載台の折畳み状態を示す図である。
【図４】  折畳み機構の平面図である。
【図５】  側部苗載台の部分側面図一部断面図である。
【図６】  本発明の苗取りレール端部の下面図である。
【図７】  同じく正面図である。
【図８】  同じく正面図である。
【図９】  苗載台の背面図である。
【図１０】  本発明のロックレバーのガイド構成を示す正面図である。
【図１１】  同じく側面図である。
【図１２】  ロックシャフトの周り止め構成を示す側面断面図である。
【図１３】  同じくロックシャフトの周り止め構成を示す側面断面図である。
【図１４】  縦フレームの支持構成を示す部分側面断面図である。
【図１５】  分割苗載台の位置合わせを行う固定穴の側面図一部断面図である。
【図１６】  植付けミッションケースの側面図である。
【図１７】  本発明のワイヤーを有する苗載台の部分背面図である。
【符号の説明】
１６  苗載台
１６ａ  分割苗載台
１６ｂ  中央部苗載台
１６ｃ  側部苗載台
９０  ユニットクラッチレバー
９２ａ・９２ｂ  ワイヤー
９３  揺動アーム
９６  縦送りクラッチ機構
９８  従動カム
１２１  ロックシャフト
１２０  ロックレバー
１２６・１２７  ガイド体
１２９  シャフトガイド
１３０  固定ピン
１８５  苗取りレール
１８５ａ  折畳み側レール
１８６ａ  苗取り口
１９０  アーム体
１９２  枢支板
１９３  枢支軸
１９５  バネ体
１９５ａ  バネ体の湾曲部
【図１】
0003655054.tif 000002
【図２】
0003655054.tif 000003
【図３】
0003655054.tif 000004
【図４】
0003655054.tif 000005
【図５】
0003655054.tif 000006
【図６】
0003655054.tif 000007
【図７】
0003655054.tif 000008
【図８】
0003655054.tif 000009
【図９】
0003655054.tif 000010
【図１０】
0003655054.tif 000011
【図１１】
0003655054.tif 000012
【図１２】
0003655054.tif 000013
【図１３】
0003655054.tif 000014
【図１４】
0003655054.tif 000015
【図１５】
0003655054.tif 000016
【図１６】
0003655054.tif 000017
【図１７】
0003655054.tif 000018